(57)【特許請求の範囲】
【請求項１】
長尺状で、互いの端部側が近接又は離間するように設けられた一対の器具本体を備え、該器具本体の端部側には、設置面に脚柱を介して設置された機器の該脚柱を側方から挟持する挟持部が設けられ、該挟持部には害虫駆除用薬剤が具備され、
前記一対の器具本体には、その長手方向の略中央部分に前記器具本体が回動自在となる支軸が設けられ、しかも、前記器具本体の一方端部側又は他方端部側のうちの少なくともいずれか一方に前記挟持部が設けられてなることを特徴とする害虫駆除用器具。
【請求項２】
長尺状で、互いの端部側が近接又は離間するように設けられた一対の器具本体を備え、該器具本体の端部側には、設置面に脚柱を介して設置された機器の該脚柱を側方から挟持する挟持部が設けられ、該挟持部には害虫駆除用薬剤が具備され、
前記挟持部は、器具本体に対し着脱自在の別体にて形成されてなることを特徴とする害虫駆除用器具。
【請求項３】
長尺状で、互いの端部側が近接又は離間するように設けられた一対の器具本体を備え、該器具本体の端部側には、設置面に脚柱を介して設置された機器の該脚柱を側方から挟持する挟持部が設けられ、該挟持部には害虫駆除用薬剤が具備され、
前記一対の器具本体は、相互にスライド自在な一対の長尺状体からなることを特徴とする害虫駆除用器具。
【請求項４】
前記器具本体および挟持部には、害虫駆除用薬剤が具備されてなることを特徴とする請求項１乃至３のいずれか１項に記載の害虫駆除用器具。
【請求項５】
前記一対の挟持部のそれぞれの対向面のうち、少なくとも一方の対向面には、１又は複数の凹部が形成されることを特徴とする請求項１乃至４のいずれか１項に記載の害虫駆除用器具。
【発明の詳細な説明】
【技術分野】
【０００１】
本発明は、例えば設置面に複数の脚柱を介して既設された自動販売機において、その脚柱を伝って自動販売機内に侵入してくる害虫等を駆除するための害虫駆除用器具に関する。
【背景技術】
【０００２】
特許文献１の害虫駆除用器具は、設置面に複数の脚柱を介して設置された機器において、該複数の脚柱のそれぞれに装着される環状の駆除体と、該駆除体を脚柱に装着するための取付杆とを備えている。
【０００３】
その構成において、駆除体を脚柱に装着するには、駆除体を取付杆の先端に取り付けた状態とし、取付杆を押して駆除体を脚柱の側方から押し当てるようにすることで、駆除体の開閉部が開かれ、さらに取付杆を押すことで駆除体が脚柱を外嵌するように装着される。
【０００４】
駆除体の交換のために駆除体を脚柱から取り外すには、駆除体から取り外されている取付杆のフックを、駆除体の所定の部位に引っ掛けて引くようにする。
【先行技術文献】
【特許文献】
【０００５】
【特許文献１】特開２００８−６１５５９号公報
【発明の概要】
【発明が解決しようとする課題】
【０００６】
特許文献１に記載の害虫駆除用器具では、設置面と機器との間の狭い空間で上述した着脱作業を行うことは非常に難しい。
【０００７】
そこで本発明は、設置面と機器との間の狭い空間にある脚柱に対してでも、容易に着脱自在な害虫駆除用器具を提供する。
【課題を解決するための手段】
【０００８】
本発明の害虫駆除用器具は、前述の課題解決のために、長尺状で、互いの端部側が近接又は離間するように設けられた一対の器具本体を備え、該器具本体の端部側には、設置面に脚柱を介して設置された機器の該脚柱を側方から挟持する挟持部が設けられ、該挟持部には害虫駆除用薬剤が具備され、前記一対の器具本体には、その長手方向の略中央部分に支軸が設けられ、しかも、直方体形状の一方端部側又は他方端部側のうちの少なくともいずれか一方に前記挟持部が設けられてなることを特徴とする。
【０００９】
本発明によれば、挟持部を一対の器具本体の端部側に備えているため、装着時および交換時のいずれの場合も一対の器具本体を介して挟持部を開閉するだけで、機器の脚柱に対する器具の着脱を簡単に行える。また、挟持部が具備する害虫駆除用薬剤で前記脚柱の周囲を保護できるようになり、前記脚柱から機器内部への害虫の侵入を阻止できる。
例えば一対の器具本体の一方端部側のみに挟持部が設けられている場合は、他方端部側は、一対の挟持部の接離を操作する操作部となり、複数配置された機器の脚柱のそれぞれを一対の挟持部で挟持することにより害虫駆除用器具が取り付けられる。
また、一対の器具本体の両端部側のそれぞれに挟持部が設けられている場合は、一方の一対の挟持部が機器の奥側の脚柱を挟持し、他方の一対の挟持部が機器の手前の脚柱を挟持することになる。
【００１０】
本発明の害虫駆除用器具は、長尺状で、互いの端部側が近接又は離間するように設けられた一対の器具本体を備え、該器具本体の端部側には、設置面に脚柱を介して設置された機器の該脚柱を側方から挟持する挟持部が設けられ、該挟持部には害虫駆除用薬剤が具備され、前記挟持部は、器具本体に対し着脱自在の別体にて形成されてなることを特徴とする。
【００１１】
上記のように、器具本体に対し挟持部を着脱自在の別体にて形成しているため、挟持部は使い捨てできる一方、器具本体は繰り返し使用できる。
【００１２】
本発明の害虫駆除用器具は、長尺状で、互いの端部側が近接又は離間するように設けられた一対の器具本体を備え、該器具本体の端部側には、設置面に脚柱を介して設置された機器の該脚柱を側方から挟持する挟持部が設けられ、該挟持部には害虫駆除用薬剤が具備され、前記一対の器具本体は、相互にスライド自在な一対の長尺状体からなることを特徴とする。
上記のように、一対の長尺状体をそれぞれ異なる方向にスライドさせることで、挟持部が近接又は離間するようになり、機器の脚柱を側方から挟持したり、機器の脚柱から離間させたりできる。
【００１３】
また、本発明の害虫駆除用器具の他態様として、前記器具本体および挟持部には、害虫駆除用薬剤が具備されてなることが好ましい。
【００１４】
上記のように、挟持部に加えて、器具本体も害虫駆除用薬剤を具備するようになるので、設置面と機器との間の狭い空間内に害虫駆除用薬剤の効能を及ぼすことができる。
【００１５】
また、本発明の害虫駆除用器具の他態様として、前記一対の挟持部のそれぞれの対向面のうち、少なくとも一方の対向面には、１又は複数の凹部が形成されることが好ましい。
【００１６】
上記のように、一対の対向面のうち、少なくとも一方の対向面に１又は複数の凹部を形成するようにしたので、凹部によって機器の脚柱を確実に挟持することができる。
【発明の効果】
【００２５】
本発明のように、設置面と機器との間の狭い空間にある脚柱に対してでも、容易に着脱できる、という優れた効果を奏する。
【図面の簡単な説明】
【００２６】
【図１】図１は、本発明の一実施形態に係る害虫駆除用器具を示し、一対の挟持部が閉じられた状態の斜視図である。
【図２】図２は、本発明の一実施形態に係る害虫駆除用器具を示し、一対の挟持部が開いた状態の斜視図である。
【図３】図３は、同実施形態に係る害虫駆除用器具を既設の機器の脚柱に実装した状態を示す斜視図である。
【図４】図４は、図３の要部を拡大した斜視図である。
【図５】図５は、害虫駆除用器具の変形例を示し、一対の器具本体の両端部側のそれぞれに挟持部が取り付けられた状態の斜視図である。
【図６】図６は、図５の害虫駆除用器具において、一対の器具本体の両端部側から挟持部を取り外した分解斜視図である。
【図７】図７は、害虫駆除用器具の変形例を示した斜視図である。
【図８】図８は、害虫駆除用器具の変形例を示した平面図である。
【図９】図９は、害虫駆除用器具の変形例を示した斜視図である。
【図１０】図１０は、害虫駆除用器具の変形例を示した平面図である。
【図１１】図１１は、害虫駆除用器具の変形例を示した斜視図である。
【発明を実施するための形態】
【００２７】
以下、本発明の一実施形態に係る害虫駆除用器具（以下、単に器具という場合もある。）について図面を参照しつつ説明する。なお、図３に示す如く、設置面Ｇに複数の脚柱Ａ１，Ａ２を介して設置された既設の機器（以下、単に機器という場合もある。）Ａとしては、自動販売機とする。また、害虫としては、ゴキブリや蟻などの虫とする。
【００２８】
本実施形態に係る害虫駆除用器具１は、図１〜図４に示すように、重なるように交差して配置された一対の長尺状の器具本体２，２と、該一対の器具本体２，２の一端部側の一側に延出された挟持部３と、他端部側の他側に延出された挟持部４と、一対の器具本体２，２を閉じた状態で保持するための保持部材５とを備える。そして、一対の器具本体２，２は、開いた姿勢ではＸ字形状を呈し、閉じられた姿勢では直方体の外形を呈している。
【００２９】
つぎに一対の器具本体２，２について詳細に説明するが、一対の器具本体２，２はそれぞれ同一の構成であるため、便宜上、一方の器具本体２の構成の説明を、他方の器具本体２の構成の説明に兼用する。また、後述する器具本体２の挟持部３，４についても、挟持部３，４のそれぞれが同一形状であることから、一方の挟持部３の構成の説明を、他方の挟持部４の説明に兼用する。
【００３０】
まず、器具本体２の方向を特定するとともに、特定した方向に基づいて、後述する器具本体２の連設部２０および挟持部３，４の面を特定する。
【００３１】
器具本体２の方向は、機器Ａの手前の脚柱Ａ１および奥側の脚柱Ａ２を挟持できる状態の向きを基準向きにして、機器Ａの奥行き方向を器具本体２の長手方向ｘとし、機器Ａの幅方向を器具本体２の短手方向（幅方向）ｙとし、機器Ａの高さ方向を器具本体２の厚み方向ｚとする。
【００３２】
器具本体２は、直方体形状で、連設部２０を備えるとともに、害虫駆除用薬剤を具備する。具体的に、害虫駆除用薬剤は、器具本体２および挟持部３，３、４，４に塗布（噴霧）されたり、練り込んだりする。また、害虫駆除用薬剤の中に器具本体２および挟持部３，３、４，４を浸漬するようにしてもよい。害虫駆除用薬剤としては、防虫剤、殺虫剤、忌避剤のうちから適宜選択して使用される。
【００３３】
連設部２０は、扁平した杆状で、長手方向の略中央部分（一対の連設部２０の交点）Ｐに配置された共通の支軸６の軸回りに回動自在に構成される。また、連設部２０は、機器Ａの手前の脚柱Ａ１と奥側の脚柱Ａ２とを繋ぐことのできる長さを有し、機器Ａの手前の脚柱Ａ１および奥側の脚柱Ａ２を挟持するのに必要な幅寸法と厚み寸法とを有する。
【００３４】
連設部２０は、長手方向に対向する一対の側面２０ａ，２０ａと、幅方向に対向する一対の側面２０ｂ，２０ｂと、厚み方向に対向する一方の上面２０ｃ、および他方の上面２０ｄとを備える。そして、一方の上面２０ｃに、他方の器具本体２の他方の上面２０ｃが重ね合わされる。
【００３５】
挟持部３は、一対の連設部２０，２０を重ねた厚みを有する角柱状体で、機器Ａの手前の脚柱Ａ１の周面を、他方の器具本体２の挟持部３とで挟持する矩形状の挟持用対向面３０ｂを有する。なお、挟持用対向面３０ｂの形状としては、円形、非円形のいずれであってもよい。要は、機器Ａの脚柱Ａ１，Ａ２を挟持できる形状であればよい。
【００３６】
挟持用対向面３０ｂには、機器Ａの脚柱Ａ１を挟持するための凹部３０が厚み方向に沿って形成され、該凹部３０が挟持部３の長手方向に沿って所定の間隔をおいて複数形成されている。
【００３７】
凹部３０は、一対の挟持部３，３が閉じられた状態では円形であり、その内径が機器Ａの脚柱Ａ１の外径と略同一で、機器Ａの脚柱Ａ１の周面に当接する。なお、凹部３０の形状としては、半円形だけではなく、非円形（例えば、Ｖ字形状、円弧形状など）であってもよい。
【００３８】
挟持部３は、長手方向に対向する一対の側面３ａ，３０ａと、幅方向に対向する一対の側面３ｂ，３０ｂと、厚み方向に対向する一方の上面３ｃ、および他方の上面３ｄとを備える。一対の側面３ａ，３０ａのうちの側面３０ａは、連設部２０の一方の上面２０ｃから連設部２０の厚み分突出し、連設部２０の一方の上面２０ｃとの間で段部を形成している。この段部によって、一対の挟持部３，３の挟持位置の位置合わせがなされている。また、一対の側面３ｂ、３０ｂのうちの側面３０ｂは、他方の器具本体２の挟持部３と対向する挟持用対向面となっている。この挟持用対向面３０ｂは、連設部２０の長手方向に延びる中心線Ｌを挟んだ両側に位置し、連設部２０の上面２ｃ、２ｄに対し直交する面となっている。また、長手方向に対向する一対の側面３ａ，３０ａのうち一方の側面３ａは、一対の器具本体２，２が閉じられた状態では、他方の器具本体２の挟持部３の側面３ａと同一面となっている。また、挟持部３の幅方向に対向する一対の側面３ｂ、３０ｂのうちの一方の側面３ｂと、連設部２０の幅方向に対向する一対の側面のうちの一方の側面２０ｂとが同一面となっている。また、挟持部３の他方の上面３ｄと、連設部２０の他方の上面２０ｄとが同一面となっている。
【００３９】
挟持部４は、前記挟持部３と同様に、長手方向に対向する一対の側面４ａ，４０ａと、幅方向に対向する一対の側面４ｂ，４０ｂと、厚み方向に対向する一方の上面４ｃ、および他方の上面４ｄとを備える。
【００４０】
保持部材５は、例えば閉じられた状態の一対の器具本体２，２の一端部側に巻き付ける伸縮可能な帯状の面ファスナであり、一対の挟持部３，３、４，４の挟持状態を保持する。
【００４１】
つぎに本実施形態に係る害虫駆除用器具の使用態様について説明する。まず、機器Ａの手前の脚柱Ａ１および奥側の脚柱Ａ２に害虫駆除用器具１を装着する場合、作業者は、一対の器具本体２，２の挟持部３，３、４，４を開いた状態にして、それぞれの一対の挟持部３，３、４，４間に機器Ａの手前の脚柱Ａ１と奥側の脚柱Ａ２とが位置するよう、一対の挟持部３，３、４，４を設置面Ｇと機器Ａとの間の空間Ｓ内に挿入する。
【００４２】
つぎに、作業者は、一対の挟持部３，３、４，４を互いに近接するよう器具本体２，２を操作し、機器Ａの手前の脚柱Ａ１を側方から一方端部側の一対の挟持部３，３の凹部３０，３０で挟持するとともに、機器Ａの手前の脚柱Ａ１を側方から他方端部側の挟持部４，４の凹部４０，４０で挟持する。
【００４３】
この際、機器Ａの手前の脚柱Ａ１の周面に、一方端部側の一対の挟持部３，３の凹部３０，３０の内面が当接し、機器Ａの奥側の脚柱Ａ２の周面に、他方端部側の一対の挟持部４，４の凹部４０，４０の内面が当接し、両端部側の一対の挟持部３，３、４，４が閉じられた状態になっている。
【００４４】
つぎに、作業者は、両方の一対の挟持部３，３、４，４を閉じられた状態に保持すべく、手で把持している側の一対の挟持部３，３に保持部材５を取り付ける。具体的には、保持部材としての帯状の面ファスナ５を手で把持している側の一対の挟持部３，３に巻き付ける。これにより、面ファスナ５の雄材と雌材とが互いに係合して両方の一対の挟持部３，３、４，４が閉じられた状態で保持される。そうすることで、図３および図４に示すように、一対の器具本体２，２は、機器Ａの手前の脚柱Ａ１および奥側の脚柱Ａ２に装着された状態となる。
【００４５】
この際、両端部側のそれぞれの一対の挟持部３，３、４，４は、機器Ａが設置された設置面Ｇと機器Ａとの間の狭い空間Ｓ内に収まっており、外部に突出することはなく、周辺の環境に支障をきたすことがない。
【００４６】
つぎに、機器Ａの手前の脚柱Ａ１および奥側の脚柱Ａ２に取り付けた害虫駆除用器具１を交換する場合、作業者は、前記空間Ｓ内から、保持部材５によって閉じられた状態の手前の一対の挟持部３，３から保持部材５を取り外す。具体的に、保持部材としての面ファスナ５の雄材から雌材を引き剥がし、雄材と雌材との係合を解除する。これにより、手前の一対の挟持部３，３が保持部材５から開放され、手前の一対の挟持部３，３を手で把持できるようになる。
【００４７】
つぎに、作業者は、手前の一対の挟持部３，３を手で把持し、奥側の一対の挟持部４，４を機器Ａの奥側の脚柱Ａ２から離間するよう、手前の一対の挟持部３，３を開いた状態にする。具体的に、手で把持している手前の一対の挟持部３，３を機器Ａの手前の脚柱Ａ１から離間させることで、奥側の一対の挟持部４，４を機器Ａの奥側の脚柱Ａ２から離間させる。
【００４８】
そして、両端部側のそれぞれの一対の挟持部３，３、４，４を開いた状態のまま、前記空間Ｓ内から害虫駆除用器具１を引っ張り出す。そして、新しい害虫駆除用器具１を前記と同様に装着する。
【００４９】
以上説明したように、本発明の害虫駆除用器具によれば、設置面Ｇと機器Ａとの間の狭い空間Ｓにある手前の脚柱Ａ１および奥側の脚柱Ａ２に対してでも、容易に着脱できる。
【００５０】
なお、本発明は、上記実施形態に限定されるものではなく、本発明の要旨を逸脱しない範囲で種々の変更が可能である。
【００５１】
例えば、前記実施形態では、一対の器具本体２，２の両端部側に、挟持部３，３、４，４を一体に設けたが、一対の器具本体と挟持部とを別体に設けるようにしてもよい。この害虫駆除用器具１Ａについて、図５および図６を参照して説明する。これらの図において、図１及び図２と同一符号は同一もしくは相当するものを示す。異なる点は、一対の器具本体２１，２１の両端部側のそれぞれに設けられた軸方向に延びる突条の支持体２２と、該支持体２２が挿入される挿入孔３１０，３１０、４１０，４１０が軸方向に形成された筒状の挟持部３１，３１、４１，４１とを備えた点である。この場合、害虫駆除用薬剤の交換に際しては、挟持部３１，３１、４１，４１を交換するだけでよく、一対の器具本体２１，２１は繰り返し使用できる。
【００５２】
また、前記実施形態では、一対の器具本体２，２の両端部側に、挟持部３，３、４，４を設けたが、例えば図７に示すように、一対の器具本体２１，２１の両端部側のそれぞれに突条の支持体２２０を設け、各支持体２２０に挟持部３，３、４，４を固着した害虫駆除用器具１０Ａであってもよい。なお、図７において、図１及び図２と同一符号は同一もしくは相当するものを示す。
【００５３】
また、前記実施形態では、両端部側の挟持部３，３、４，４の挟持用対向面３ａ，３ａ、４ａ，４ａのそれぞれに複数の凹部３０，３０、４０，４０を形成したが、例えば図８に示すように、一対の器具本体２３ａ，２３ｂの一方端部側のそれぞれに挟持部３２ａ，３２ｂを設け、両挟持部３２ａ，３２ｂのそれぞれに凹部３２０ａ，３２０ｂを１つずつ形成するようにしてもよい。この害虫駆除用器具１Ｂでは、一対の器具本体２３ａ，２３ｂの他方端部側のそれぞれは、作業者が手で把持する把持部４２，４２となっている。
【００５４】
また、前記害虫駆除用器具１Ｂでは、機器Ａの奥側の脚柱Ａ２に一方の挟持部３２ａの凹部３２０ａを引っ掛けやすいように、一方の凹部３２０ａの壁部の長さを、他方の凹部３２０ｂの長さよりも長くしている。具体的に、一方の凹部３２０ａの壁部の長さは、長手方向に延びる中心線Ｌを超えて他方の凹部３２０ｂに向かって延出されている。そうすることで、一方の凹部３２０ａがフック状に形成される。したがって、奥側の脚柱Ａ２に一方の凹部３２０ａを引っ掛けつつ、奥側の脚柱Ａ２と手前の脚柱Ａ１を挟持することができる。これにより、機器Ａの奥側の脚柱Ａ２に対する取付作業の効率化が図れる。
【００５５】
また、前記実施形態では、長手方向の略中央部分Ｐが回動自在に支持された一対の器具本体２，２の両端部側のそれぞれに挟持部３，３、４，４を一対ずつ備えるようにしたが、図９に示すように、互いの基端部が回動自在に支持された一対の器具本体２４，２４の先端部側のそれぞれに挟持部３３，３３を備えるようにしてもよい。この害虫駆除用器具１Ｃの場合、手前の脚柱Ａ１に取り付ける器具本体２４，２４の長さを短く、奥側の脚柱Ａ２に取り付ける器具本体２４，２４の長さを長くすることが好ましい。
【００５６】
また、前記実施形態では、支軸６回りに回動自在な一対の器具本体２，２を備えた害虫駆除用器具としたが、相互にスライド自在な一対の器具本体を備えた害虫駆除用器具であってもよい。該害虫駆除用器具１Ｄは、例えば、図１０に示すように、長手方向の中心線に沿ってスライド溝２６が形成された一方の器具本体２５と、該スライド溝２６に移動可能に設けられたスライダ２７と、該スライダ２７に連結され、一方の器具本体２５の長手方向の内側面２５０に沿って移動可能に設けられた他方の器具本体２８と、両器具本体２５，２８の両端側にそれぞれ一対ずつ傾斜して配置された挟持部３，３、４，４とを備える。
【００５７】
スライド溝２６の一側縁部には、凹部２６ａと凸部２６ｂとが交互に連続して形成され、スライド溝２６の他側縁部にも、一側縁部と同様に、凹部２６ａと凸部２６ｂが形成され、凹部２６ａ同士、および凸部２６ｂ同士がそれぞれ対向している。
【００５８】
スライダ２７は、スライド溝２６の凹部２６ａおよび凸部２６ｂに圧接しつつ、スライド溝２６を移動する。具体的に、スライダ２７は、スライド溝２６の凸部２６ｂを乗り越えて凹部２６ａに係止するように、突出方向に常時弾性付勢された進退自在の円弧状の一対の板バネ（保持部材）２７０，２７０を有する。また、スライダ２７と他方の器具本体２８とは連結部材２９によって連結されている。
【００５９】
この場合、２つの器具本体２５，２８のうちのいずれか一方を他方に近接する方向、又はいずれか一方を他方から離間する方向にスライドさせ、スライド溝２６の凹部２６ａに一対の板バネ２７０，２７０を係止させることで、挟持部３，３、４，４の位置が保持され、機器Ａの脚柱Ａ１を側方から挟持したり、機器Ａの脚柱Ａ１から離間させたりできる。
【００６０】
また、前記実施形態では、支軸６回りに回動する一対の器具本体２，２を備えた害虫駆除用器具１としたが、相互にスライド自在な一対の長尺状体からなる一対の器具本体を備えた害虫駆除用器具であってもよい。該害虫駆除用器具１Ｅは、例えば、図１１に示すように、長尺状体からなる一対の器具本体７，７の長手方向中央部に設けられ、円弧状のスライド溝８０，８０が形成された支持部８，８と、該支持部８，８のスライド溝８０，８０に遊挿され、長手方向に対して直交方向に立設された雌ねじからなる移動ピン９，９と、該移動ピン９，９のねじ孔に螺着され、スライド溝８０，８０から移動ピン９，９が抜けるのを防止する雄ねじからなる抜け止め部材９０，９０とを有する一対の器具本体とを備える。
【００６１】
なお、スライド溝としては、円弧状ではなく、略直線状であってもよい。また、雌ねじからなる移動ピン９と、雄ねじからなる抜け止め部材９０との螺着による抜け止め防止としたが、凹凸嵌合によって抜け止めするようにしてもよい。
【００６２】
この場合、一方の器具本体７の移動ピン９がスライド溝８０の一端から他端、又は他端から一端へ移動するとともに、他方の器具本体７の移動ピン９がスライド溝８０の他端から一端、又は一端から他端へ移動する。これにより、挟持部３，３、４，４が近接又は離間するようになり、機器Ａの脚柱Ａ１を側方から挟持したり、機器Ａの脚柱Ａ１から離間させたりできる。
【００６３】
また、前記実施形態では、一対の挟持部のそれぞれに複数の凹部を形成したが、一方の挟持部に１又は複数の凹部を形成し、他方の挟持部として、角柱体又は円柱体に緩衝部材（例えばスポンジ）を被せるようにしてもよく、このような挟持部を、一対の器具本体の少なくとも一端部側に一対設けるようにしてもよい。この場合、緩衝部材には、害虫駆除用薬剤が含浸されているものとする。
【００６４】
また、前記実施形態では、一対の挟持部３，３、４，４を閉じられた状態に保持するために、保持部材として伸縮可能な帯状の面ファスナ５を使用したが、これに限定されるものではなく、例えば閉じられた状態の一対の器具本体２，２の端部に嵌合せる環状体であって、内面にテーパ面を有する環状体を使用するようにしてもよい。また、コ字形状の引っ掛け具の開放端部を一方の器具本体２に回動自在に設け、該引っ掛け具の閉塞端部を他方の器具本体２に引っ掛けられるようにしてもよく、一方の器具本体２，２の対向面に嵌合凸部を設けると共に、他方の器具本体の対向面に嵌合凹部を設けて、一対の器具本体２，２を着脱自在に構成するようにしてもよい。要は、一対の挟持部３，３、４，４を閉じられた状態に保持できる構成であれば何でもよい。
【００６５】
また、前記実施形態では、害虫駆除用薬剤を、器具本体２の全体に塗布するようにしたが、挟持部３，４のみに塗布するようにしてもよい。また、連設部２０および挟持部３，４のうち、少なくとも挟持部３，４に害虫駆除用薬剤を噴霧するようにしてもよいし、連設部２０および挟持部３，４のうち少なくとも挟持部３，４を、害虫駆除用薬剤に浸漬するようにしてもよい。
【００６６】
また、前記実施形態では、ゴキブリや蟻などの害虫を駆除するとしたが、ねずみやカラスなどを駆除する場合にも適用できる。
【符号の説明】
【００６７】
1…害虫駆除用器具、２、２１、２３ａ，２３ｂ、２４、２５，２８、７，７…器具本体、２０…連設部、２２…支持体、３，４、３１，４１、３２ａ，３２ｂ、３３…挟持部、３ａ，４ａ…挟持用対向面、３０，４０、３２０ａ，３２０ｂ…凹部、３１０，４１０…挿入孔、５…保持部材、６…支軸、Ａ…機器、Ａ１…機器の手前の脚柱、Ａ２…機器の奥側の脚柱、Ｐ…長手方向の略中央部分（交点）
【図１】
0006337043.tif 000002
【図２】
0006337043.tif 000003
【図３】
0006337043.tif 000004
【図４】
0006337043.tif 000005
【図５】
0006337043.tif 000006
【図６】
0006337043.tif 000007
【図７】
0006337043.tif 000008
【図８】
0006337043.tif 000009
【図９】
0006337043.tif 000010
【図１０】
0006337043.tif 000011
【図１１】
0006337043.tif 000012